(57)【要約】【課題】原稿束に含まれる個々の原稿について、ユーザに用紙のサイズおよび倍率の設定を要求することなく、迅速にかつ良好な複写物を作成可能な画像形成装置を提供する。【解決手段】複合機１は、原稿上の画像を読み取るスキャナ８１と、種々の演算を実行する演算部７２と、各原稿の画像を加工する画像加工部８とを備え、１枚目の原稿と同一のサイズ系列かつ同一幅の用紙に、各原稿の画像を各用紙の大きさに合うように加工して印刷出力可能である。【選択図】図５
2008022205.tif 000002
【特許請求の範囲】
【請求項１】
ユーザから、ステープル処理の指示を受け付け可能な受付部と、
原稿のサイズを取得する原稿サイズ取得部と、
上記受付部がステープル処理の指示を受け付けたときに、上記原稿サイズ取得部の取得結果に基づいて、サイズの異なる２種以上の用紙から、各原稿上の画像を形成する用紙として、１枚目の原稿に最も近いサイズの用紙と幅が同じ用紙のうち、各原稿にサイズの最も近い用紙を選出可能な選出部と、
上記選出部の選出した用紙に合わせて上記原稿上の画像を変倍する変倍部と、
上記変倍部によって変倍された画像を、上記選出部の選出した用紙上に形成可能な画像形成部と、
上記受付部がステープル処理の指示を受け付けたときに、上記画像形成部にて画像が形成された上記用紙をステープル処理可能なステープル処理部と、
を備える画像形成装置。
【請求項２】
上記原稿上の画像を回転させる回転部をさらに備え、上記画像形成部は上記回転部によって回転された画像を上記用紙上に形成可能な請求項１に記載の画像形成装置。
【請求項３】
原稿のサイズを取得する原稿サイズ取得部と、原稿上の画像を加工する画像加工部と、上記変倍部によって変倍された画像を用紙上に形成可能な画像形成部と、サイズの異なる２種以上の用紙から上記画像形成部で用いる用紙を選出する選出部と、ユーザからステープル処理の指示を受け付け可能な受付部と、を備える画像形成装置の制御プログラムであって、
上記受付部がステープル処理の指示を受け付けたとき、
上記原稿サイズ取得部の取得結果に基づいて、サイズの異なる２種以上の用紙から、各原稿上の画像を形成する用紙として、１枚目の原稿に最も近いサイズの用紙と幅が同じ用紙のうち、各原稿にサイズの最も近い用紙を選出させる選出ステップと、
上記選出ステップにて選出された用紙に合わせて、上記画像加工部に各原稿上の画像を変倍させる変倍ステップと、
を含む制御プログラム。
【発明の詳細な説明】
【技術分野】
【０００１】
本発明は、画像形成装置およびその制御プログラムに関するものであり、特に、異なるサイズの原稿を含む原稿束をコピーするのに好適な画像形成装置およびその制御プログラムに関する。
【背景技術】
【０００２】
原稿束の中に互いにサイズの異なる原稿が混在している場合、従来のコピー機の多くは、個々の原稿にそれぞれ対応する用紙を用いて、サイズの異なる複写物が混在したコピー束を作成する。
【０００３】
また、特許文献１には、ステープル処理等の仕分け処理が容易となるように、最初に検知した原稿のサイズと同系列（Ａ系列またはＢ系列）の用紙を全ての原稿のコピーに用いる複写装置が記載されている。また、この複写装置は、２枚目以降の原稿を、１枚目の原稿の系列内であって当該２枚目以降の原稿の実際のサイズ以上の最小サイズに置換して印刷している。つまり、原稿サイズとしてＡ３、Ｂ４、Ｂ５、Ａ４がこの順に検知された場合、最初の原稿サイズであるＡ３に基づいて、原稿全てについてＡ系列の転写紙（Ａ４，Ａ３）を用いるようにしている。そして、Ａ３原稿にはＡ３の転写紙が、Ｂ４原稿にはＡ３の転写紙が、Ｂ５原稿にはＡ４の転写紙が、Ａ４原稿にはＡ４の転写紙がそれぞれ選択される。
【特許文献１】特開平１１−１０９６９１号公報（１９９９年４月２３日公開）
【発明の開示】
【発明が解決しようとする課題】
【０００４】
特許文献１の複写装置は、単に用紙の幅を均一にするものである。それゆえ、複写物において余白が大きくなり過ぎるといった問題が起こる可能性があった。
【０００５】
本発明は、上記従来の問題に鑑みたものであり、その目的は、操作にかかるユーザの負担を低減することができ、かつ良好な画像得ることのできる画像形成装置、および画像形成装置の制御プログラムを提供することにある。
【課題を解決するための手段】
【０００６】
請求項１の画像形成装置は、ユーザから、ステープル処理の指示を受け付け可能な受付部と、原稿のサイズを取得する原稿サイズ取得部と、上記受付部がステープル処理の指示を受け付けたときに、上記原稿サイズ取得部の取得結果に基づいて、サイズの異なる２種以上の用紙から、各原稿上の画像を形成する用紙として、１枚目の原稿に最も近いサイズの用紙と幅が同じ用紙のうち、各原稿にサイズの最も近い用紙を選出可能な選出部と、上記選出部の選出した用紙に合わせて、上記原稿上の画像を変倍する変倍部と、上記変倍部によって変倍された画像を、上記選出部の選出した用紙上に形成可能な画像形成部と、上記受付部がステープル処理の指示を受け付けたときに、上記画像形成部にて画像が形成された上記用紙をステープル処理可能なステープル処理部と、を備える。
【０００７】
請求項１の画像形成装置は、複数の原稿からなる原稿束を複写し、かつ複写物をステープル処理するときに、２枚目以後の個々の原稿についての変倍倍率や用紙について、ユーザからの指示を要することなく、全て１枚目の原稿に対応する用紙と同幅の用紙からなる複写物を作成することができる。さらに、用紙上に形成する画像を、用紙の大きさに合わせて加工することができる。つまり、上記画像形成装置は、ステープル処理した用紙束に含まれる個々の複写物において、画像と用紙との大きさが良く合致するという効果を奏する。
【０００８】
請求項２の画像形成装置は、請求項１に記載の画像形成装置であって、上記原稿上の画像を回転させる回転部をさらに備え、上記画像形成部は上記回転部によって回転された画像を上記用紙上に形成可能である。
【０００９】
請求項２の画像形成装置は、例えば１枚目の原稿がＡ系列であるとき、２枚目以後のＡ４Ｒ原稿を回転させて、Ａ４Ｅ用紙上に複写することができる。こうすることで、Ａ４Ｒ原稿をＡ３用紙に複写するよりも、余白が小さくて済み、紙の無駄も抑えられる。
【００１０】
本発明の目的は、請求項３の制御プログラムによっても実現可能である。請求項３の制御プログラムは、原稿のサイズを取得する原稿サイズ取得部と、原稿上の画像を加工する画像加工部と、上記変倍部によって変倍された画像を用紙上に形成可能な画像形成部と、サイズの異なる２種以上の用紙から上記画像形成部で用いる用紙を選出する選出部と、ユーザからステープル処理の指示を受け付け可能な受付部と、を備える画像形成装置の制御プログラムであって、上記受付部がステープル処理の指示を受け付けたとき、上記原稿サイズ取得部の取得結果に基づいて、サイズの異なる２種以上の用紙から、各原稿上の画像を形成する用紙として、１枚目の原稿に最も近いサイズの用紙と幅が同じ用紙のうち、各原稿にサイズの最も近い用紙を選出させる選出ステップと、上記選出ステップにて選出された用紙に合わせて、上記画像加工部に各原稿上の画像を変倍させる変倍ステップと、を含む。
【発明の効果】
【００１１】
本発明の画像形成装置は、複数の原稿からなる原稿束を複写し、かつ複写物をステープル処理するときに、２枚目以後の個々の原稿についての変倍倍率や用紙について、ユーザからの指示を要することなく、全て同幅の用紙からなる複写物を作成することができる。さらに、用紙上に形成する画像を、用紙の大きさに合わせて加工することができる。つまり、上記画像形成装置は、ステープル処理した用紙束に含まれる個々の複写物において、画像と用紙との大きさが良く合致するという効果を奏する。
【発明を実施するための最良の形態】
【００１２】
以下、本発明について、図面を参照して具体的に説明する。
【００１３】
＜複合機の構成＞
まず、図１〜３を参照して、本発明の実施の一形態である複合機（画像形成装置）の構成の概略について説明する。図１は、本実施形態の複合機を示す斜視図であり、図２はこの複合機の要部構成を示すブロック図であり、図３はこの複合機の操作パネルを示す平面図である。
【００１４】
複合機１は、コピー、ＦＡＸ、プリンタ等の機能を有し、図１に示すように、スキャンするための原稿を載置する載置台２Ａ、コピーの対象となる原稿束を載せるための送り台２Ｂ、画像処理を行う画像処理部３、印刷用紙を収容する用紙収容部４、印刷後の用紙が排出される排紙部５、ユーザからの入力を受け付けると共にユーザに種々の情報を提示する操作パネル６を備える。また、複合機１には、画像処理装置３として、制御装置７、画像加工部８、スキャナ８１、印刷部９、通信部１０、センサ群１１、外部記憶装置１２、原稿送り装置１３がさらに設けられている（図２）。
【００１５】
操作パネル６は、図３に示すように液晶パネル６１を備え、各種画面を表示する。液晶パネル６１は、図８〜１０に示すような画面を表示することができ、画面上に表示したソフトキーを介して、ユーザの指示を受け付けることができる。ハードキー群６２は、スタートキー、テンキー等を備え、ユーザからの指示を受け付けることができる。
【００１６】
制御装置７は、複合機１の各部材、すなわち、操作パネル６、画像加工部８、印刷部９、通信部１０、センサ群１１、外部記憶装置１２等に接続されている。制御装置７は、ＣＰＵ、ＲＡＭ、およびＲＯＭ等で構成される。ＣＰＵは、各部の制御やデータの計算・加工を行なう装置である。また、ＲＡＭはＣＰＵの作業領域として機能する他、上記入力装置から送られるデータを一時保持する領域を有している。ＲＯＭにはプログラム等が格納されている。制御部７は、さらに内部Ｉ／Ｆ（図示せず）を備えている。ＣＰＵは、この内部Ｉ／Ｆを介して、外部ＰＣ１０１、他の複合機１０２、操作パネル６、スキャナ８１等の入力装置からのデータを受け取ったり、各種データや制御信号を各部材に出力したりすることができる。
【００１７】
スキャナ８１は、光源、レンズ、ミラー、ＣＣＤ等を備え、載置台２Ａ上に置かれた、または送り台２Ｂ上に置かれた原稿を撮像し、読み取る装置である。画像加工部８は、スキャナ８１が撮像した画像を、制御装置７からの信号に基づいて加工する。
【００１８】
印刷部９については図４を参照する。図４は、印刷部９の要部構成を示す正面図である。印刷部９は、画像形成部９１、用紙搬送部９２、および印刷制御部９３を備える。
【００１９】
画像形成部９１としては、従来公知である電子写真方式の印刷装置を用いることができる。特に本実施形態では、画像形成部９１は、用紙収容部４の上側に配されている。なお、「上」とは、複合機１の通常の設置姿勢における上方向を意味する。画像形成部９１は感光体ドラム９１ａを備え、その回転方向に沿って、感光体ドラム９１ａを一様に帯電する帯電部９１ｂ、光によって感光体ドラム９１ａ上に静電潜像を描くレーザユニット９１ｃ、静電潜像を現像剤によって現像する現像部９１ｄ、現像部９１ｄによって現像された画像を用紙に転写する転写部９１ｅをさらに備える。また、用紙搬送部９２の搬送方向における感光体ドラム９１ａの下流には、定着装置９１ｆが設けられ、熱と圧力によって用紙に画像を定着させる。
【００２０】
用紙搬送部９２は、用紙収容部４から用紙Ｓｈ-１、Ｓｈ-２、・・Ｓｈ-１２のいずれかを、矢印で示す方向に沿って画像形成部９１に搬送し、画像が印刷された用紙を排紙部５に排出する。用紙収容部４内では、各用紙は、上段から下段に向かって、用紙Ｓｈ-１、Ｓｈ-２、・・Ｓｈ-１２の順に収容されている。従って、画像形成部９１からの距離、すなわち用紙搬送部９２が用紙を収容部４から取り出し、画像形成部９１を経て排紙部５まで搬送するのに要する時間は、用紙Ｓｈ-１が最も短く、Ｓｈ-２、Ｓｈ‐３、・・Ｓｈ-１２の順に長くなる。
【００２１】
印刷制御部９３は、制御装置７からの信号に基づいて、印刷部９内の部材を制御する。すなわち、制御装置７は、印刷制御部９３を介して画像形成部９１および用紙搬送部９２を制御することで、スキャナ８１の読み取った画像、またはＰＣ等の外部機器から受け取った画像を、用紙上に印刷することができる。
【００２２】
通信部１０は、図３に示すように、外部ＰＣ１０１および他の複合機１０２とネットワーク１００を介して通信可能に接続しており、データの送受信を行うことができる。
【００２３】
外部記憶装置１２は、各種データを記憶する。外部記憶装置１２内のデータは、必要に応じて制御装置７の動作に利用される。
【００２４】
原稿送り装置１３は、送り台２Ｂ上に置かれた原稿束を、スキャナ８１等の読み取り部に送る装置である。こうすることで、ユーザは多量の原稿の複写物を簡便な操作で得ることができる。
【００２５】
次に複合機１におけるコピー時の動作について説明する。図５は、複合機１におけるコピー実行時のデータの流れを示すブロック図である。図５に示すように、複合機１は、制御装置７として、内部記憶部７１、演算部７２、および主制御部７３を備え、画像加工部８として変倍部８２および回転部８３を備え、センサ群１１として、原稿サイズ取得部１１１および用紙残量検出部１１２を備える。
【００２６】
内部記憶部７１は、コピー実行時における用紙、倍率、濃度等の条件を記憶する印刷条件記憶部７１ａ、画像加工部８からの画像情報を一時記憶する画像記憶部７１ｂを備える。
【００２７】
内部記憶部７１は、コピー実行時における用紙、倍率、濃度等の条件を記憶する印刷条件記憶部、画像加工部８からの画像情報を一時記憶する画像記憶部等を備える（図示せず）。
【００２８】
各種演算を実行する演算部７２は、特に原稿サイズ取得部１１１が取得した原稿サイズ、サイズテーブル１２Ａ、および印刷条件テーブル１２Ｂに基づいて、各原稿の印刷条件を選択することができる。
【００２９】
主制御部７３は、操作パネル６が受け付けたユーザの指示内容に基づいて各部を制御することで、後述する各モードを実行可能である。
【００３０】
原稿サイズ取得部１１１には、載置台２上の原稿のサイズを光学的に検出する光センサを用いることができる。原稿サイズ取得部１１１は、スキャナ８１の光学系（光源、ミラー等）を利用して原稿サイズを取得するものであってもよい。用紙残量検出部１１２は、用紙収容部４内の用紙残量を検出することができる。
【００３１】
外部記憶装置１２内には、例えば、図６に示すサイズテーブル１２Ａ、図７に示す倍率テーブル１２Ｂが格納される。サイズテーブル１２Ａは、用紙収容部４内の各用紙のサイズを含む。倍率テーブル１２Ｂは下記（Ｉ）欄のステープルモードにて使用されるテーブルである。倍率テーブル１２Ｂの詳細については後述する。
【００３２】
＜印刷モード設定＞
図５と図８・９とを併せて参照し、印刷モード設定について説明する。図８は印刷モード設定時の処理フローを示すフローチャートであり、図９は、印刷モード設定時の表示画面を示す平面図である。
【００３３】
載置台２Ａまたは送り台２Ｂ上に原稿が載置されたことを、図示しないセンサが感知すると、主制御部７３は液晶パネルに基本画面６３（図９）を表示させる（Ｓ１）。基本画面６３は、印刷条件記憶部７１に現在記憶されている印刷条件を表示する。電源を入れたとき、またはリセットキー（図３）が押下されたときには、印刷条件は初期設定の条件となる。
【００３４】
基本画面６３には、用紙、倍率、濃度等の各条件、さらにこれらの条件を変更するためのキーが表示される。また、基本画面６３には、ステープル処理の実行指示を受け付けるためのステープル設定キー６３ａが設けられている。ステープル設定キー６３ａは、ユーザがステープルの位置、数等を選択できるように、各条件に合わせて複数設けられている。
【００３５】
このステープル設定キー６３ａのいずれかが押下され、かつスタートキーが押下されると（Ｓ２、Ｓ３でＹｅｓ）、印刷条件記憶部７１は、押下されたステープル設定キー６３ａに応じたステープル条件、およびその他設定された条件を記憶し、主制御部７３の制御により下記（Ｉ）のステープルモードが実行される。一方、ステープル設定キー６３ａが押下されずにスタートキーが押下されると、設定された条件が印刷条件記憶部７１に記憶され、印刷が実行される（下記（ＩＩ）欄）。
【００３６】
＜印刷モード実行＞
（Ｉ）ステープルモード
ステープルモード時の複合機１の動作について、図１０に基づいて説明する。
【００３７】
まず、原稿送り装置１３およびスキャナ８１によって、ｎ枚の原稿（原稿Ｍ１〜Ｍｎ）の画像を読み込む。このとき、各原稿のサイズも、原稿サイズ検出部１１１および演算部７２にて、各原稿のサイズを取得する（Ｓ１０１）。これらのデータは、内部記憶部７１にて一時的に保存しておけばよい。特に、こうして取得された原稿サイズのうち、１枚目の原稿Ｍ１のサイズ系列（Ａ、Ｂ、またはインチ）が、全ての原稿の複写用紙のサイズ系列として内部記憶部７１内に保持される。このとき、演算部７２は上述の原稿Ｍ１と同様に、サイズテーブル１２Ａの内容および原稿サイズ取得部１１１の取得結果から、原稿Ｍ２〜Ｍｎに合致する定型サイズを取得しておく。なお、このとき原稿Ｍ１〜Ｍｎがどの定型サイズに該当するかは、演算部７２にて、サイズテーブル１２Ａ内の情報と原稿サイズ取得部１１１の取得結果とを比較し、各原稿のサイズに最も近い定型サイズを選ぶような演算を行えばよい。
【００３８】
次に、原稿Ｍ１のサイズ系列内に含まれる幅が同一の用紙のうちで各原稿にサイズが最も近い（変倍倍率が１００％に最も近い）用紙、変倍倍率、回転の要否といった印刷条件が、印刷条件テーブル１２Ｂに基づいて決定される（Ｓ１０４）。
【００３９】
印刷条件テーブル１２Ｂには、原稿のサイズ、各サイズ系列のうちその原稿にサイズが最も近い用紙（選択用紙）、並びに複写時の変倍倍率および回転の有無が、対応付けて記憶されている（図７）。具体的には、原稿Ｍ１がＡ系列であったとき、Ａ４ＥまたはＡ３Ｒのうち各原稿にサイズが近い方が、その原稿の複写用紙となる。原稿Ｍ１がＢ系列なら、Ｂ５ＥまたはＢ４Ｒのうち各原稿にサイズの近い方が用いられる。また、原稿Ｍ１がインチ系列なら、１１×１７または１１×８．５のうち各原稿にサイズの近い方が用いられる。
【００４０】
また、原稿の方が選択された用紙より大きくなる場合に限って、複写用紙に原稿を合わせるように、変倍倍率が設定されている。また、原稿に対して、９０°回転させることで縮小せずに印刷することのできる用紙がある場合は、加工条件として回転が設定されている（印刷条件テーブル中に●で示す）。
【００４１】
こうして決定された加工条件（変倍倍率、回転）で、各画像を画像加工部８にて加工し、画像記憶部７１に記憶する（Ｓ１０５）。
【００４２】
以上のステップＳ１０４及びＳ１０５を原稿Ｍ１〜Ｍｎについて順に行った後（Ｓ１０３、Ｓ１０６、Ｓ１０７）、各条件で加工及び保存された画像を、各用紙に印刷出力する（Ｓ１０８）。そして、印刷後の用紙について、ステープル処理部１３にステープル処理を行って（Ｓ１０９）、複写を終了する。
【００４３】
原稿Ｍ１〜Ｍｎのサイズは定型サイズに限らない。定形外のサイズであっても、演算部７２によって各用紙のサイズの原稿に対する原稿サイズの比を求め、こうして求めた比率のうち１に最も近い比率を各原稿の変倍倍率とし、この比率を与える用紙を各原稿に対応する用紙としてもよい。
【００４４】
また、図１０では、個々の原稿について加工条件の決定及び画像の加工を行った後に印刷出力を行っているが、本発明はこれに限らない。すなわち、上記ステップＳ１０５をステップＳ１０７とステップＳ１０８との間に設けることで、印刷条件の決定が全ての原稿について完了した後、これら全ての原稿の画像を加工、保存、及び印刷する構成とすることもできる。
【００４５】
（ＩＩ）  その他の印刷モード
ステープルモード以外にも、複合機１はユーザからの入力に応じて種々のモードを実行可能である。ここでは、用紙：自動選択、倍率：１００％に設定されたものとし、このときの複合機１の動作について図１１を参照して説明する。
【００４６】
本モードでも、上記（Ｉ）と同様に、原稿Ｍ１〜Ｍｎを読み込み、サイズを取得する（Ｓ２０１）。次に、各原稿Ｍ１〜Ｍｎが収まるサイズの用紙を検索する（Ｓ２０２）。
【００４７】
こうして検索された各原稿に対応する用紙が用紙収容部４内に収容されていれば、原稿Ｍ１〜Ｍｎを各用紙に印刷出力し（Ｓ２０４）、収容されていなければその旨を液晶パネル６１に表示する（Ｓ２０５）。
【００４８】
なお、上記（Ｉ）欄にて、原稿Ｍ１〜Ｍｎは定型サイズに限らない。定形外のサイズであっても、最も近い定型サイズをその原稿のサイズとみなし、同様の過程にてコピーを実行することができる。
【００４９】
また、上記ステップＳ１０６は、ステップＳ１０４とステップＳ１０８との間に設けてもよい。すなわち、全ての原稿について印刷条件を決定してから、全ての原稿の画像を加工するような構成とすることもできる。
【００５０】
また、図８の基本画面６３でステープル処理の指示を受け付けた後、複写物のサイズを全て同一にするか、上述したように同系列にするがサイズ自体は異なってもよいとするか、ユーザに選択させることのできる画面を表示パネル６１が表示するようにしてもよい。この場合、印刷条件テーブル１２Ｂの他に、個々の用紙サイズについて、原稿を変換するときの倍率および回転の有無を含んだテーブルをさらに外部記憶装置１２に記憶しておけばよい。そして、この画面の受け付け結果に基づいて、主制御部７３が印刷条件設定時にどちらか一方のテーブルを利用するようにすればよい。
【００５１】
本実施形態において、制御装置７および用紙搬送部９２は、画像形成に用いる用紙を選出する選出部であると表現できる。
【００５２】
本実施形態においては、変倍部８２はスキャナ８１からの画像データを変倍するものとしたが、本発明はこれに限定されない。すなわち、変倍部は、スキャナ内に可動に設けられたレンズ等、他の形態によっても実現可能である。
【００５３】
また、本実施形態では、操作パネル６、および制御装置７内の各部材が、複合機１内に設けられていたが、これらの部材の一部または全部が複合機とは別体に設けられてもよい。例えば、制御装置７は複合機に接続されたＰＣ内に設けられてもよいし、操作パネル６は、このＰＣに接続されたディスプレイおよび入力装置であってもよい。
【００５４】
また、以上に述べた実施形態において、制御装置７内の各ブロックは、ＣＰＵがＲＯＭ等の記録媒体内に格納されたプログラム（図１０、１１）を読み出すことで実現するものとしたが、これらのブロックのうちの少なくとも一部がハードウェアロジックによって構成されるものであってもよい。
【００５５】
本発明は上述した実施形態に限定されるものではない。請求項に示した範囲で種々の変更が可能であって、請求項に示した範囲で適宜変更・組み合わせて得られる技術も本発明の技術的範囲に含まれることはいうまでもない。
【図面の簡単な説明】
【００５６】
【図１】本発明の実施の一形態である複合機の斜視図である。
【図２】上記複合機の要部構成を表すブロック図である。
【図３】上記複合機の操作パネルを表す平面図である。
【図４】上記複合機の印刷部の要部構成を表す正面図である。
【図５】上記複合機におけるデータの流れを示すブロック図である。
【図６】上記定型用紙のサイズを示すテーブルである。
【図７】ステープルモードにおける印刷条件を示すテーブルである。
【図８】印刷条件設定時の動作フローを示すフローチャートである。
【図９】印刷条件設定時の表示画面を示す平面図である。
【図１０】ステープルモード実行時の動作過程を示すフローチャートである。
【図１１】倍率：１００％、自動用紙設定時の複写における動作過程を示すフローチャートである。
【符号の説明】
【００５７】
１      複合機（画像形成装置）
４      用紙収容部
Ｓｈ-１〜１２  用紙
７      制御装置
７１    内部記憶部
７２    演算部
７３    主制御部
８１    スキャナ
８      画像加工部
８２    変倍部
８３    回転部
９      印刷部
９１    画像形成部
９２    用紙搬送部
１２    外部記憶装置
１１１    原稿サイズ取得部
１１２    用紙残量検出部
【図１】
2008022205.tif 000003
【図２】
2008022205.tif 000004
【図３】
2008022205.tif 000005
【図４】
2008022205.tif 000006
【図５】
2008022205.tif 000007
【図６】
2008022205.tif 000008
【図７】
2008022205.tif 000009
【図８】
2008022205.tif 000010
【図９】
2008022205.tif 000011
【図１０】
2008022205.tif 000012
【図１１】
2008022205.tif 000013